(57)【要約】【課題】適度な広がりを持つ吐水範囲を有することが出来る吐水形態を切換可能なシャワーヘッドを提供する。【解決手段】本発明によるシャワーヘッドは、吐水形態を切換可能なシャワーヘッド１であって、供給された湯水が内部を流れる通水路１６と、この通水路１６によって導かれた湯水を流出させる本体開口部９を備えたシャワーヘッド本体２と、このシャワーヘッド本体２の本体開口部９を覆うように、シャワーヘッド本体２に対してスライド可能に配置され、複数の散水孔２２が設けられた弾性変形可能な散水板４と、この散水板４を弾性変形させながらシャワーヘッド本体２に対して移動させ、散水板４に設けられた複数の散水孔２２のうち、本体開口部９と整合している散水孔２２から湯水を吐出させることにより、吐水形態を切り換える散水板スライド機構６とを有する。【選択図】図１
2012010882.tif 000002
【特許請求の範囲】
【請求項１】
吐水形態を切換可能なシャワーヘッドであって、
供給された湯水が内部を流れる通水路と、この通水路によって導かれた湯水を流出させる本体開口部を備えたシャワーヘッド本体と、
前記シャワーヘッド本体の前記本体開口部を覆うように、前記シャワーヘッド本体に対してスライド可能に配置され、複数の散水孔が設けられた弾性変形可能な散水板と、
この散水板を弾性変形させながら前記シャワーヘッド本体に対して移動させ、前記散水板に設けられた前記複数の散水孔のうち、前記本体開口部と整合している散水孔から湯水を吐出させることにより、吐水形態を切り換える散水板スライド機構と、
を有することを特徴とするシャワーヘッド。
【請求項２】
さらに、前記シャワーヘッド本体の外側に配置され、前記散水板の一部を露出させるカバー開口部を備えたシャワーヘッド本体カバーを有し、前記散水板は、前記シャワーヘッド本体と前記シャワーヘッド本体カバーの間で、前記シャワーヘッド本体の形状に沿ってスライドされる、請求項１に記載のシャワーヘッド。
【請求項３】
前記散水板スライド機構は、
前記シャワーヘッド本体に回転可能に取付けられるとともに、前記散水板と係合して、前記散水板を前記シャワーヘッド本体に対してスライドさせる第一回転軸部と、
前記シャワーヘッド本体に回転可能に取付けられるとともに、前記第一回転軸部と連動して回転し、前記散水板と係合して、前記散水板を前記シャワーヘッド本体に対してスライドさせる第二回転軸部と、を備えている、請求項２に記載のシャワーヘッド。
【請求項４】
前記第一回転軸部は、前記散水板の一端が固定されており、前記散水板と回転係合しながら前記第一回転軸部の周りに前記散水板を巻き取り、
前記第二回転軸部は、前記第一回転軸部と軸線が平行に配置されており、前記散水板の他端が固定されており、前記散水板と回転係合しながら前記第二回転軸部の周りに前記散水板を巻き取る、請求項３に記載のシャワーヘッド。
【請求項５】
さらに、前記シャワーヘッド本体と前記散水板の間に配置され、前記シャワーヘッド本体と前記散水板の間をシールするシール部材を有する、請求項２乃至４に記載のシャワーヘッド。
【請求項６】
さらに、前記本体開口部のほぼ中央で前記散水板を押圧し、前記散水板を中央が盛り上がるように弾性変形させる散水板押圧部を有する、請求項２乃至５に記載のシャワーヘッド。
【請求項７】
前記散水板は、前記散水板のスライドが所定の位置で停止されるように、前記散水板押圧部の先端と係合するクリック凹部を備える、請求項６に記載のシャワーヘッド。
【請求項８】
前記散水孔が前記クリック凹部として機能する、請求項７に記載のシャワーヘッド。
【発明の詳細な説明】
【技術分野】
【０００１】
本発明は、シャワーヘッドに係り、特に、吐水形態を切換可能なシャワーヘッドに関する。
【背景技術】
【０００２】
従来、使用者の体調等により微妙に変化する最適な浴び心地を実現可能とするため、散水板をスライドさせることにより、吐水形態を切換えるシャワーヘッドが知られている。
【０００３】
実開平52-075535号公報（特許文献１）には、シャワーヘッド本体の内部に球形の散水板が回転自在に取付けられており、散水板をシャワーヘッド本体に沿って回転させることにより吐水形態を切換えるシャワーヘッドが記載されている。このシャワーヘッドにおいては、散水板を回転させることによりシャワーヘッド本体の開口部を介して露出する散水孔が変化し、露出している散水孔の孔径に応じた吐水を行うことができる。
【０００４】
実開平02-104850号公報（特許文献２）には、シャワーヘッド本体の内部に円筒形に形成された散水板が回動可能に取付けられたシャワーヘッドが記載されている。このシャワーヘッドにおいては、シャワーヘッド本体がスリット状開口部を有しており、散水板には、点状の噴水孔と、スリット状の噴水孔が設けられている。円筒形の散水板をシャワーヘッド本体に対して回動させることにより、シャワーヘッド本体のスリット状開口部と整合する噴水孔が変化し、吐水形態を切換えることができる。
【先行技術文献】
【特許文献】
【０００５】
【特許文献１】実開昭52-075535号公報
【特許文献２】実開平02-104850号公報
【発明の概要】
【発明が解決しようとする課題】
【０００６】
しかしながら、特許文献１及び特許文献２に記載されたシャワーヘッドにおいては、散水板をシャワーヘッド本体内で回動可能にするために、散水板は、球形状或いは略円筒形状に構成されている。このため、球形状又は円筒形状の散水板から吐出される湯水は円周方向に大きく広がってしまい、浴び心地の良い吐水を得ることが困難であった。
【０００７】
従って、本発明は、吐水形態の切換を可能にしながら、吐水範囲が適度な広がりを持ち、浴び心地の良いシャワーヘッドを提供することを目的としている。
【課題を解決するための手段】
【０００８】
上記の目的を達成するために、本発明は、吐水形態を切換可能なシャワーヘッドであって、供給された湯水が内部を流れる通水路と、この通水路によって導かれた湯水を流出させる開口部を備えたシャワーヘッド本体と、このシャワーヘッド本体の開口部を覆うように、シャワーヘッド本体に対してスライド可能に配置され、複数の散水孔が設けられた弾性変形可能な散水板と、この散水板を弾性変形させながらシャワーヘッド本体に対して移動させ、散水板に設けられた複数の散水孔のうち、開口部と整合している散水孔から湯水を吐出させることにより、吐水形態を切り換える散水板スライド機構とを有することを特徴としている。
このように構成された本発明においては、使用者は、複数の散水孔が設けられた弾性変形可能な散水板をシャワーヘッド本体に対して弾性変形させながらスライドさせることができる。散水板をスライドさせると、散水板に設けられた複数の散水孔のうちの開口部と整合する散水孔が変化し、開口部と整合している散水孔から吐水が為される。吐水が行われる散水孔を変化させることにより、吐水形態が切り換えられる。さらに、吐水形態を切り換える際に散水板が弾性変形されるので、散水板をシャワーヘッド本体に対してスライドさせることを可能にしながら、散水板の吐水が行われる部分には適切な曲率を与えることができる。これにより、適度な広がりを持った浴び心地の良いシャワー吐水を行うことができる。
【０００９】
本発明において、好ましくは、さらに、シャワーヘッド本体の外側に配置され、散水板の一部を露出させるカバー開口部を備えたシャワーヘッド本体カバーを有し、散水板は、シャワーヘッド本体とシャワーヘッド本体カバーの間で、シャワーヘッド本体の形状に沿ってスライドされることを特徴としている。
このように構成された本発明のシャワーヘッドにおいては、散水板は、シャワーヘッド本体とシャワーヘッド本体カバーの間で、シャワーヘッド本体の形状に沿ってスライドされる。シャワーヘッドは、散水板の一部を露出させるカバー開口部を備えているので、散水板の吐水が行われない部分を覆い隠すことができ、シャワーヘッドの外観を良くすることができる。
【００１０】
本発明において、好ましくは、散水板スライド機構は、シャワーヘッド本体に回転可能に取付けられるとともに、散水板と係合して、散水板をシャワーヘッド本体に対してスライドさせる第一回転軸部と、シャワーヘッド本体に回転可能に取付けられるとともに、第一回転軸部と連動して回転し、散水板と係合して、散水板をシャワーヘッド本体に対してスライドさせる第二回転軸部とを備えていることを特徴としている。
このように構成された本発明においては、散水板スライド機構は、シャワーヘッド本体に回転可能に取付けられるとともに、散水板と係合して、散水板をシャワーヘッド本体に対してスライドさせる第一回転軸部と、シャワーヘッド本体に回転可能に取付けられるとともに、第一回転軸部と連動して回転し、散水板と係合して、散水板をシャワーヘッド本体に対してスライドさせる第二回転軸部とを備えているので、小さな操作力で第一回転軸部と第二回転軸部を回転させることができる。これにより、小さな操作力で、散水板をシャワー本体に対してスライドさせ、吐水形態を切り換えることができる。
【００１１】
本発明において、好ましくは、第一回転軸部は、散水板の一端が固定されており、散水板と回転係合しながら第一回転軸部の周りに散水板を巻き取り、第二回転軸部は、第一回転軸部と軸線が平行に配置されており、散水板の他端が固定されており散水板と回転係合しながら第二回転軸部の周りに散水板を巻き取ることを特徴としている。
このように構成された本発明においては、散水板の一端が固定されており散水板と回転係合しながら第一回転軸部の周りに散水板を巻き取り又は巻き戻しできる第一回転軸部と、第一回転軸部と軸線が平行に配置されており、散水板の他端が固定されており散水板と回転係合しながら第二回転軸部の周りに散水板を巻き取り又は巻き戻しできる第二回転軸部とによって、散水板をシャワー本体に対してスライドさせることができる。
また、このように構成された本発明においては、散水板の一端が第一回転軸部に固定され、他端が第二回転軸部に固定されているので、散水板に段階的に孔径が大きくなるように散水孔を設けた場合、回転軸部に散水板を巻き取ることにより吐水される散水孔の孔径は段階的に変化し、吐水される散水孔の孔径が急激に変化することがない。
【００１２】
本発明において、好ましくは、さらに、シャワーヘッド本体と散水板の間に配置され、シャワーヘッド本体と散水板の間をシールするシール部材を有することを特徴としている。
このように構成された本発明においては、シャワーヘッド本体と散水板の間に配置され、シャワーヘッド本体と散水板の間をシールするシール部材をさらに有するので、散水板を、シャワーヘッド本体と散水板の間で簡単な構造でシールすることができる。
【００１３】
本発明において、好ましくは、さらに、本体開口部のほぼ中央で散水板を押圧し、散水板を中央が盛り上がるように弾性変形させる散水板押圧部を有することを特徴としている。
このように構成された本発明においては、シャワーヘッド本体は、本体開口部のほぼ中央で散水板を押圧して中央が盛り上がるように弾性変形させる散水板押圧部をさらに有する。 従って、散水板は、散水板押圧部によってカバー開口部のほぼ中央で押圧されて弾性変形し、中央が盛り上がった吐水面を形成する。散水板は、弾性変形された吐水面に応じて、散水板のスライド方向と垂直の方向にも広がった吐水を行うことができる。従って、垂直方向にも適度な広がりをもった吐水範囲を有するシャワーヘッドを形成することができる。
【００１４】
本発明において、好ましくは、散水板は、散水板のスライドが所定の位置で停止されるように、散水板押圧部の先端と係合するクリック凹部を備えることを特徴としている。
このように構成された本発明においては、散水板は、散水板押圧部の先端とクリック凹部が係合することにより、所定の位置でスライドを停止させることができる。従って、不適切な位置で散水板が停止され、吐水された湯水がカバー開口部の縁に当たって吐水が乱れるのを防ぐことが出来る。
【００１５】
本発明において、好ましくは、散水孔がクリック凹部として機能することを特徴としている。
このように構成された本発明においては、散水孔がクリック凹部として機能することで、クリック凹部を散水板に新たに形成する必要がなくなるので、より簡単にクリック凹部の機能を実現することができる。
【発明の効果】
【００１６】
本発明の吐水形態を切換可能なシャワーヘッドは、適度な広がりを持つ吐水範囲を有することが出来る。
【図面の簡単な説明】
【００１７】
【図１】本発明の第１実施形態によるシャワーヘッドを示す斜視図である。
【図２】本発明の第１実施形態によるシャワーヘッドを示す正面図である。
【図３】本発明の第１実施形態によるシャワーヘッドの分解図である。
【図４】本発明の第１実施形態によるシャワーヘッドの散水板の展開図である。
【図５】本発明の第１実施形態によるシャワーヘッドの断面図である。
【図６】本発明の第２実施形態によるシャワーヘッドを示す斜視図である。
【図７】本発明の第２実施形態によるシャワーヘッドの分解図である。
【図８】本発明の第３実施形態によるシャワーヘッドの分解図である。
【発明を実施するための形態】
【００１８】
以下、添付図面を参照して、本発明の第１実施形態によるシャワーヘッドを説明する。
図１は、本発明の第１実施形態によるシャワーヘッドを示す斜視図であり、図２は、本発明の第１実施形態によるシャワーヘッドを示す正面図である。
【００１９】
図１及び図２に示すように、本発明の第１実施形態による、シャワーヘッド１は、湯水を吐水するシャワーヘッド本体２と、散水板４と、吐水形態を切り替える散水板スライド機構６と、シャワーヘッド本体カバー７を有する。シャワーヘッド１は、使用者が、体調等に応じた最適な浴び心地を実現するため、吐水形態を切り替えることが可能なシャワーヘッドである。また、シャワーヘッドは、使用者がシャワーヘッド本体２を持って、或いは壁に設置されたシャワーヘッド支持部（図示せず）に置いて使用できるような形状になっている。使用者は、つまみ部１０を回わすことにより散水板スライド機構６を回転させ、散水板スライド機構６に取り付けられた散水板４をスライド移動させることにより、吐水形態を切り替えることができる。
【００２０】
次に、図３乃至図５を参照して、本発明の第１実施形態による、シャワーヘッド１を詳細に説明する。図３は、本発明の第１実施形態によるシャワーヘッドの分解図であり、図４は、本発明の第１実施形態によるシャワーヘッドの散水板の展開図であり、図５は、本発明の第１実施形態によるシャワーヘッドの断面図である。
シャワーヘッド本体２は、略円筒形状に形成され、湯水を内部に通水して散水板に導くことができるように形成される。また、シャワーヘッド本体２は、シャワーヘッド本体２の上部側面上に湯水を吐水する長方形の本体開口部９を備えると共に、給水管（図示せず）より供給された湯水がその内部を流れる通水路１６を備える。後述するように、散水板４は本体開口部９を覆うように配置され、散水板４の、本体開口部９と整合する位置に形成された散水孔から湯水が吐出される。
【００２１】
散水板４は、図４に示すような、薄板形状の散水板の両端を接合して環状に形成されている。散水板４は、本体開口部９を覆うように、シャワーヘッド本体２とシャワーヘッド本体カバー７の間に配置される。また、散水板４は、シャワーヘッド本体カバー７のカバー開口部８内で外部に露出し、カバー開口部８の内側の領域で吐水面を形成している。散水板４は、本体開口部９を覆う部分では、曲率半径の大きな略円弧状に湾曲した曲面を形成し、それ以外では、シャワーヘッド本体２外周の形状に沿って曲率半径の小さな略円弧状に弾性変形される。散水板４は、本体開口部９の内側の面領域では、後述するように弾性変形された曲面を形成している。散水板４は、シャワーヘッド本体２及びシャワーヘッド本体カバー７に対して周方向にスライド可能に配置されている。即ち、散水板４は、カバー開口部８及び本体開口部９に対しても相対的にスライド移動が可能である。散水板４は、散水板４の弾性変形を可能にするような素材で作られ、本実施形態においては、厚さ約０．１mmの薄いステンレス製である。
【００２２】
図４に示すように、散水板４は、散水板４を展開した場合に、複数の散水孔２２が行方向及び列方向ともに所定の間隔で複数一列に並んで配置され、行方向では散水孔２２の孔径が一端から徐々に大きい散水孔２２の孔径になるように配置され、列方向では散水孔２２の孔径が同じ孔径に揃って配置されるように、散水孔２２を配列配置する。このように、異なる複数の散水孔２２が散水板４に配列配置されているので、散水板４をスライド移動させるに従ってカバー開口部９の外側の吐水面には異なる孔径の散水孔２２が現れるようになっており、これにより吐水形態を切換可能にしている。
孔径が小さい散水孔２２から吐水される場合は、使用者が水流を強く感じるような吐水がなされ、孔径が大きい散水孔の場合は、使用者が水流を弱く（柔らかく）感じるような吐水がなされる。
また、シャワーヘッド本体２と散水板４の間にはパッキン２４が配置されている。パッキン２４は、シャワーヘッド本体２と散水板４の間をシールするシール部材であり、シャワーヘッド本体２の本体開口部９の縁に配置されている。パッキン２４は、本体開口部９の開口の縁形状に一致する四角形形状に形成される。本実施形態では、本体開口部８とカバー開口部９は、概ね同じ大きさ、形状の四角形状の開口である。本実施形態においては、パッキン２４が散水板４の内側に配置されているので、パッキン２４が散水板４の外側に取付けられるよりも、複雑な取付構造を必要とせず、パッキン２４の取付けが容易になっている。
【００２３】
散水板スライド機構６は、円環形状部１７ａと、この円環形状部１７ａからシャワーヘッド本体２の長手方向に沿って延び、散水板４が取り付けられる棒形状の散水板係合部１７ｂと、を有する。散水板４を取り付けた散水板スライド機構６は、その円環形状部１７ａ及び散水板４がシャワーヘッド本体２の先端部を取り囲むように配置され、シャワーヘッド本体２に対して回転可能に取り付けられる。さらに、散水板スライド機構６は、つまみ部１０を一定回転させると散水板スライド機構６の回転が停止されるような停止機構（図示せず）を有している。使用者が、散水板スライド機構６のつまみ部１０を回転操作させることにより散水板スライド機構６を回転させると、これに取り付けられた散水板４がシャワーヘッド本体２の周りをスライド回転され、散水板４の、本体開口部９と整合する部分が変化し、吐水形態を変更することができる。
本実施形態においては、つまみ部１０を回転させることにより吐水形態を切り換えていたが、変形例として、ノック式のボールペンに使用されているような機構により、散水板をスライド移動させてもよい。
シャワーヘッド本体カバー７は、カバー開口部８が形成された半円筒形状の開口部カバー１８と、半円筒形状の後部カバー２０を備え、散水板４が配置されたシャワーヘッド本体２上部を外側から覆うように配置される。開口部カバー１８と後部カバー２０は、シャワーヘッド本体２の上部を挟み込むように配置されて、４つのねじ２１によってシャワーヘッド本体２に固定される。また、シャワーヘッド本体カバー７の下端部にはリング２３が取り付けられる。シャワーヘッド本体カバー７は、略円筒形状のシャワーヘッド本体２の上部を包み込むように中空の略円筒形状に形成されている。シャワーヘッド本体カバー７のカバー開口部８は、シャワーヘッド本体２の本体開口部９と整合するように位置決めされており、このカバー開口部８から散水板４の一部が露出され、露出した散水板４の吐水面から吐水が行われる。
【００２４】
さらに、シャワーヘッド本体２には、散水板押圧部２６が備えられている。散水板押圧部２６は、本体開口部９のほぼ中央に配置され、散水板４を先端で押圧するように構成されている。散水板押圧部２６は、押圧部キャップ２８、押圧ボール部３０、押圧ボール支持部３２及びばね３４を備えている。押圧部キャップ２８は、先が一部円形に開口している中空円筒形状の部材であり、押圧ボール部３０、押圧ボール支持部３２及びばね３４を内部に収納している。押圧ボール部３０は、散水板押圧部２６の先端を形成するボール状の部材であり、散水板４を当接して押圧できる部材である。押圧ボール部３０は、散水板４に当接して押圧したまま滑らかにスライド可能な部材であれば、ボール状以外の部材であってもよい。押圧ボール支持部３２は、押圧ボール部３０を支持し、ばね３４により押圧力を受ける部材である。ばね３４は、押圧ボール支持部３２を本体開口部９の外側に向かって押圧する付勢力を発生するように構成されている。
このように、散水板押圧部２６は、散水板押圧部２６の先端の押圧ボール部３０によって散水板４を外方に向けて押すように構成されている。散水板４は、散水板押圧部２６の付勢力によって、本体開口部９の外側に向かって押す力を受けて、カバー開口部８の略中央を中心に外側に凸型に隆起するように弾性変形される。即ち、散水板４は、中央が盛り上がって、中央から放射状になだらかに下降する曲面を形成する。散水板４のこの弾性変形される隆起の大きさ、形状等は、散水板押圧部２６を構成している部材の形状等、例えば押圧部キャップ２８の高さ、押圧ボール部３０のボールの直径及びばね３４の強さ等、によって調節が可能である。
【００２５】
一方、散水板４には、クリック凹部３６が設けられている。クリック凹部３６は、散水板押圧部２６の先端の押圧ボール部３０と係合して、散水板４のスライド移動を所定の位置で停止できるように形成されている。本実施形態においては、クリック凹部３６は、散水板４に設けられた散水孔２２と兼用にされており、押圧ボール部３０が散水板４の裏側から散水孔２２に係合することにより、散水板４が停止される。変形例として、散水孔２２とは別に、押圧ボール部３０と整合するように、散水板４の裏側にクリック凹部を形成しても良い。
クリック凹部３６は、クリック凹部３６と押圧ボール部３０との係合を、使用者に感覚的に知らせ、散水板４のスライド移動を適正な位置で一時的に停止させ、その係合位置で停止したまま維持させやすくすることができる。クリック凹部３６により停止される適正なスライド位置は、散水孔２２からの吐水がカバー開口部８の縁にあたらないように設定されており、吐水がカバー開口部８の縁にあたって吐水が乱れるのを防止することができる。
【００２６】
次に、本発明の第１実施形態によるシャワーヘッド１の作用を説明する。
シャワーヘッド１のシャワーヘッド本体２内に供給された湯水は、通水路１６を通って本体開口部９に導かれる。本体開口部９に導かれた湯水は、散水板４の、本体開口部９と整合している散水孔２２から吐出される。吐水形態を切り換える場合には、使用者は、散水板スライド機構６のつまみ部１０を操作して散水板４をスライド移動させる。散水板押圧部２６の押圧ボール部３０とクリック凹部３６が係合する位置で散水板４を停止させると、散水板４は適正な位置に位置決めされる。
散水板４が回転される際、シャワーヘッド本体２の側面に沿って小さい曲率半径で湾曲されていた部分は、本体開口部９と整合する位置に移動されると、曲率半径の大きい円弧状に弾性変形される。散水板４が弾性変形され、本体開口部９と整合する位置で適正な曲率半径が与えられることにより、散水孔２２からのシャワー吐水は適度な広がりを持つものとなる。さらに、本体開口部９と整合している散水板４の中央部分は、散水板押圧部２６により裏側から押圧されて隆起している。このため、シャワー吐水は、シャワーヘッド本体２の長手方向にも適度な広がりを持つものとなる。
【００２７】
次に、上述した本発明の第１実施形態によるシャワーヘッドの効果を説明する。
上述した本発明の第１実施形態によるシャワーヘッドによれば、使用者は、吐水形態を切り替える目的で、散水板スライド機構６のつまみ部１０を回転移動操作する。散水板スライド機構６は散水板４と係合しているので、使用者は、複数の散水孔２２が設けられた弾性変形可能な散水板４をシャワー本体２に対して弾性変形させながらスライドさせることができる。
散水板４はシャワーヘッド本体２の本体開口部９を覆うように配置されているので、散水板４をスライドさせると、散水板４はシャワーヘッド本体２の本体開口部９に対して相対的にスライド移動する。つまり、スライド移動することにより、シャワーヘッド本体２の本体開口部９に対して、散水板４の複数の散水孔２２が、相対的に移動して、複数の異なる散水孔２２が、本体開口部９と整合する位置に配置される。このようにして、散水板４のスライド移動により、散水板４に設けられた複数の散水孔２２のうち本体開口部９と整合する散水孔２２が本体開口部９を覆って配置される。散水板４には所定の吐水形態を吐水することができる複数の異なる散水孔２２が形成されているので、散水板４を弾性変形させながらシャワーヘッド本体２に対して移動させ、本体開口部９と整合して吐水形態を切り替えられる散水孔２２から湯水を吐出させることにより、使用者は吐水形態を切り替えることができる。
従って、使用者は、散水板スライド機構６を移動させて吐水形態を切り替えることができ、使用者の体調等により微妙に変化する最適な浴び心地にあわせた吐水形態を切り替えることができる。
また、散水板４は、散水板４が弾性変形して、本体開口部９で弾性変形された吐水面を形成する。散水板４は、シャワーヘッド本体２の形状に沿って配置されているが、シャワーヘッド本体２は本体開口部９を有するので、本体開口部９を覆う散水板４は、散水板４が弾性変形した緩やかな曲面を形成する。弾性変形した緩やかな曲面を形成する散水板４は、その緩やかな曲面に対して垂線方向に吐水する複数の散水孔２２を有する。従って、散水板４は、散水板４の吐水面が平面に形成されて散水板４からの吐水が略直線方向になった吐水範囲となることなく、且つ散水板４の吐水面が略円筒状に形成されて散水板４からの吐水が略円筒外側方向に広がった吐水範囲となることのない、適度な広がりの吐水範囲を有するシャワーヘッドを形成することができる。
【００２８】
本発明の第１実施形態によるシャワーヘッドによれば、散水板４は、シャワーヘッド本体２と、シャワーヘッド本体２の外側に配置されたシャワーヘッド本体カバー７との間に配置され、シャワーヘッド本体２の形状に沿ってスライドされる。シャワーヘッド本体カバー７は、散水板４の一部を露出させるカバー開口部８を備えているので、散水板４の吐水が行われない部分を覆い隠すことができ、シャワーヘッドの外観を良くすることができる。
【００２９】
本発明の第１実施形態によるシャワーヘッドによれば、シャワーヘッド本体２と散水板４の間に配置され、シャワーヘッド本体２と散水板４の間をシールするシール部材２４をさらに有する。散水板４を、散水板４とカバー開口部８の間でシールする複雑な構造を有していないので、散水板４を、シャワーヘッド本体２と散水板４の間で簡単な構造でシールすることができる。
【００３０】
本発明の第１実施形態によるシャワーヘッドによれば、シャワーヘッド本体２は、本体開口部９のほぼ中央で散水板４を先端で押圧する散水板押圧部２６をさらに有する。 従って、本体開口部９を覆うように配置された弾性変形可能な散水板４は、散水板押圧部２６によって本体開口部９のほぼ中央で押圧されて、押圧された部分が中央が盛り上がり凸状に隆起するように弾性変形された吐水面を本体開口部９に形成する。散水板４は、弾性変形された吐水面に応じて、散水板４のスライド方向と垂直の方向にも広がった吐水を行うことができる。従って、散水板４は、散水板４からの吐水が垂直方向にもまっすぐになりすぎず且つ広がりすぎることのない適度な吐水範囲を有するシャワーヘッドを形成することができる。
【００３１】
本発明の第１実施形態によるシャワーヘッドによれば、散水板４は、散水板押圧部２６の先端とクリック凹部３６との係合により、散水板４のスライドを散水孔２２がカバー開口部８と整合する位置で停止できる。従って、散水板４は、散水孔２２の吐水方向にカバー開口部８の縁がない、カバー開口部８と整合する位置で停止されるので、散水板４が散水孔２２の吐水方向にカバー開口部８の縁がある位置で停止されて、吐水された湯水がカバー開口部８の縁にかかって乱れた吐水となることを防ぐことが出来る。
【００３２】
本発明の第１実施形態によるシャワーヘッドによれば、散水孔２２がクリック凹部３６として機能することで、クリック凹部３６を散水板４に新たに形成する必要がなくなるので、より簡単にクリック凹部３６の機能を実現することができる。
【００３３】
次に、図６及び図７により、本発明の第２実施形態によるシャワーヘッド構造を説明する。
図６は、本発明の第２実施形態によるシャワーヘッドを示す斜視図であり、図７は、本発明の第２実施形態によるシャワーヘッドの分解図である。第２実施形態によるシャワーヘッドの構造は、上述した第１実施形態とほぼ同じであるため、ここでは、第２実施形態の第１実施形態とは異なる部分のみを説明する。
【００３４】
図６及び図７に示すように、シャワーヘッド１０１は、湯水を吐水するシャワーヘッド本体１０２と、散水板１０４と、吐水形態を切り替える散水板スライド機構１０６と、シャワーヘッド本体カバー１０７を有する。
シャワーヘッド１０１は、略小判型の形状であり、小判型形状の側面の略直線部分に沿って長方形のカバー開口部１０８を備える。カバー開口部１０８は、小判型形状の側面の平面に略長方形に形成されているが、小判型形状の円周湾曲部にかかる開口部であってもよい。
シャワーヘッド本体カバー１０７は、カバー開口部１０８が形成され、シャワーヘッド本体１０２の小判型の上部と下部の円筒状部分のシャワーヘッド本体１０２を挟み込んで覆うことができる、略半円筒形状の開口部カバー１１８と、略半円筒形状の後部カバー１２０を備える。
【００３５】
散水板１０４は、散水板１０４の上部と下部に、第一回転軸部１４２及び第二回転軸部１４４が回転しながら係合できるような複数の孔１３８をその上端付近と下端付近に一列ずつ並んで有している。散水板１０４は、シャワーヘッド本体１０２の略小判型の形状の周の長さに合わせて長さが長い散水板１０４を環状に接合して形成したものである。
【００３６】
散水板スライド機構１０６は、シャワーヘッド本体１０２の頂部に配置され、散水板１０４をスライド回転できるようになっている。
散水板スライド機構１０６は、つまみ部１１０、つまみ回転軸部１１１、第一回転軸部１４２と第二回転軸部１４４を備える。
つまみ部１１０は、シャワーヘッド本体１０２の上部に配置され、使用者が回転操作できるようになっている。つまみ回転軸部１１１は、つまみ部１１０と連動して回転するようになっており、シャワーヘッド本体カバー１０７の内側で第一回転軸部１４２及び第二回転軸部１４４と連動して回転係合できるように円周上にギア歯を備えている。第一回転軸部１４２及び第二回転軸部１４４は、つまみ回転軸部１１１及び散水板１０４を介して連動して回転するようになっている。
【００３７】
第一回転軸部１４２は、第一上部ギア１４６と第一下部ギア１４８を備える。第一上部ギア１４６は、つまみ回転軸部１１１のギア歯と係合する回転ギア歯と、散水板１０４を送る送りギア歯が一体に形成されている。第一回転軸部１４２は、シャワーヘッド本体１０２に回転可能に取付けられ、つまみ回転軸部１１１と係合して回転される。また、第一上部ギア１４６の送りギア歯は、略半球状の頂部を有する形態に形成されている。この送りギア歯は、散水板１０４の上部に一列に並んで設けられた複数の孔１３８と係合し、散水板１０４を送ることができるようになっている。
また、第一下部ギア１４８には、散水板１０４と係合する送りギア歯のみが設けられている。第一下部ギア１４８の送りギア歯は、散水板１０４の下部に一列に並んで設けられた複数の孔１３８と係合し、散水板１０４を送ることができるようになっている。第一上部ギア１４６と第一下部ギア１４８は、共通の第一シャフト１４７の両端に設置されるので、連動して同じ回転運動をするように形成されている。散水板１０４を送る送りギア歯は、散水板の上部又は下部のみに設けても良い。
このように、第一回転軸部１４２の第一上部ギア１４６と第一下部ギア１４８を、散水板と係合させ、第一回転軸部１４２を回転させながら散水板１０４をシャワーヘッド本体１０２に対してスライド移動させる。
第二回転軸部１４４は、シャワーヘッド本体１０２に回転可能に取付けられ、第二上部ギア１５０と第二下部ギア１５２を備える。第二回転軸部１４４の構成は第一回転軸部１４２と同一であるので、説明を省略する。
【００３８】
第一回転軸部１４２と第二回転軸部１４４は、軸線が平行で、水平に並んで配置され、散水板の上下方向と略同じ長さを形成している。
第一上部ギア１４６と第二上部ギア１５０は、同時に散水板１０４の上部の一列の孔１３８の異なる複数の孔に係合した状態で連動して回転するようになっている。第一下部ギア１４８と第二下部ギア１５２は、同時に散水板１０４の下部の一列の孔１３８の異なる複数の孔に係合した状態で連動して回転するようになっている。
従って、つまみ回転軸部１１１を回転させると、第一回転軸部１４２及び第二回転軸部１４４が回転し、同時に4箇所のギア１４６，１４８、１５０及び１５２が散水板１０４と係合しながら同じ向きに回転して、散水板１０４をシャワーヘッド本体１０２に対して共に同じ方向にスライド移動させるので、使用者は弱い力で散水板１０４をスライド移動できる。
【００３９】
さらに、散水板スライド機構１０６は、つまみ部１１０を一定回転させると散水板スライド機構１０６の回転を停止させる停止機構（図示せず）を有している。
散水板１０４を弾性変形させながらシャワーヘッド本体１０２に対してスライド移動させ、散水板１０４に設けられた複数の散水孔１２２のうち、シャワーヘッド本体１０２の本体開口部１０９と整合している散水孔１２２から湯水を吐出させることにより、散水孔１２２からの吐水形態を切り換えることができる。
【００４０】
図７に示すように、散水板１０４は、シャワーヘッド本体カバー１０７とシャワーヘッド本体１０２の間で、外側からシャワーヘッド本体カバー１０７、散水板１０４、パッキン１２４及びシャワーヘッド本体１０２の順に配置される。
パッキン１２４は、本体開口部１０９及びカバー開口部１０８の開口の縁形状に一致する中空四角形形状に形成される。散水板１０４は、散水板押圧部１２６により、カバー開口部１０８の外側に向かって押す力を受けるので、略平面状のカバー開口部１０８内で、カバー開口部１０８の略中央を中心に外側に凸型に隆起するように弾性変形される。
【００４１】
散水板１０４は、散水板押圧部１２６の先端の押圧ボール部１３０と係合して、散水板１０４のスライド移動を、散水孔１２２がカバー開口部１０８と整合する位置で停止できる、クリック凹部を備える。本実施形態では、クリック凹部１３６は散水孔１２２と兼用にされている。
クリック凹部１３６は、押圧ボール部１３０と係合する際に、つまみ部１１０を回転操作している使用者に、クリック凹部１３６と押圧ボール部１３０との係合を、手の感覚として知らせることができる。従って、使用者は、操作する手の感覚に従って、散水板１０４のスライド移動を、散水孔１２２が開口部１０８と整合する位置で停止することができる。さらに、クリック凹部１３６は、押圧ボール部１３０と係合するので、散水板１０４のスライド移動を、その係合位置で一時的に停止させる、或いは、その係合位置で停止したまま維持させやすくすることができる。
【００４２】
次に、上述した本発明の第２実施形態によるシャワーヘッドの作用効果を説明する。
本発明の第２実施形態によるシャワーヘッドによれば、散水板スライド機構１０６は、シャワーヘッド本体１０２に回転可能に取付けられるとともに、散水板１０４と係合して、回転しながら散水板１０４をシャワーヘッド本体１０２に対してスライドさせる第一回転軸部１４２と、シャワーヘッド本体１０２に回転可能に取付けられるとともに、第一回転軸部１４２と連動して回転し、散水板１０４と係合して、回転しながら散水板１０４をシャワーヘッド本体１０２に対してスライドさせる第二回転軸部１４４とを備えているので、第一回転軸部１４２或いは第一回転軸部１４２と連動するつまみ回転軸部１１１及びつまみ部１１０を弱い力で操作して、第一回転軸部１４２と第二回転軸部１４４とを連動して回転させることができる。従って、弱い力で操作して、第一回転軸部１４２と第二回転軸部１４４が連動して回転するので、散水板１０４をシャワーヘッド本体１０２に対して弱い力でスライド移動させることができる。
【００４３】
次に、図８により、本発明の第３実施形態によるシャワーヘッド構造を説明する。
図８は、本発明の第３実施形態によるシャワーヘッドの分解図である。第３実施形態によるシャワーヘッドの構造は、上述した第２実施形態とほぼ同じであるため、ここでは、第３実施形態の第２実施形態とは異なる部分のみを説明する。
【００４４】
図８に示すように、シャワーヘッド２０１は、湯水を吐水するシャワーヘッド本体２０２と、散水板２０４と、吐水形態を切り替える散水板スライド機構２０６を有する。
【００４５】
散水板２０４は、散水板２０４の上部と下部に、第一回転軸部２４２及び第二回転軸部２４４が回転しながら係合できるような複数の孔２３８を一列ずつ並んで有している。第３実施形態によると、散水板２０４は、散水板２０４の両端を環状に接合せずに、散水板２０４の一端が第一回転軸部２４２に固定され、散水板２０４の他端が第二回転軸部２４４に固定されている。上述した実施形態においては、散水板は環状に形成されていたが、本実施形態においては、散水板２０４は、第一回転軸部２４２及び第二回転軸部２４４に巻取られるように構成されている。
【００４６】
散水板スライド機構２０６は、シャワーヘッド本体２０２の頂部に配置された円形部材であり、散水板２０４をスライド回転できるようになっている。散水板スライド機構２０６は、つまみ部２１０、つまみ回転軸部２１１、第一回転軸部２４２と第二回転軸部２４４を備える。
つまみ部２１０及びつまみ回転軸部２１１はねじ２１３によってシャワーヘッド本体２０２に接合されており、つまみ部２１０及びつまみ回転軸部２１１は一体となって回転できるように形成されている。
第一回転軸部２４２は、第一上部ギア２４６と第一シャフト２４７と、第一下部ギア２４８を備える。
第一回転軸部２４２は、散水板２０４の一端を固定しており、第一回転軸部２４２の第一上部ギア２４６と第一下部ギア２４８を、散水板２０４と係合させ、第一回転軸部２４２を回転させながら散水板２０４を第一回転軸部２４２の周りに巻き取り又は巻き戻ししながらシャワーヘッド本体２０２に対してスライド移動させる。第一シャフト２４７は、散水板２０４の端部を上下方向の溝２４９に沿って固定できる構造を有している。
第二回転軸部２４４は、第二上部ギア２５０と、第二シャフト２５１と、第二下部ギア２５２（図示せず）を備える。
第二回転軸部２４４は、散水板２０４の他端を固定しており、第二回転軸部２４４の第二上部ギア２５０と第二下部ギア２５２を散水板２０４と係合させ、第二回転軸部２４４を回転させながら散水板２０４を第二回転軸部２４４の周りに巻き取り又は巻き戻ししながらシャワーヘッド本体２０２に対してスライド移動させる。第二シャフト２５１は、散水板２０４の端部を上下方向の溝（図示せず）に沿って固定できる構造を有している。
従って、つまみ回転軸部２１１を回転させると、第一回転軸部２４２及び第二回転軸部２４４が回転し、散水板２０４をシャワーヘッド本体２０２に対して共に同じ方向に巻き取り又は巻き戻ししながらスライド移動させるので、使用者は弱い力で散水板２０４をスライド移動できる。
【００４７】
さらに、散水板スライド機構２０６は、つまみ部２１０を一定回転させると散水板スライド機構２０６の回転を停止させる停止機構（図示せず）を有している。停止機構は、使用者に、巻き取り又は巻き戻しの終了を知らせることができる。
散水板２０４を弾性変形させながらシャワーヘッド本体２０２に対してスライド移動させ、散水板２０４に設けられた複数の散水孔２２２のうち、シャワーヘッドカバー１４のカバー開口部２０８と整合している散水孔２２２から湯水を吐出させることにより、散水孔２２２からの吐水形態を切り換えることができる。
【００４８】
次に、上述した本発明の第３実施形態によるシャワーヘッドの作用効果を説明する。
本発明の第３実施形態によるシャワーヘッドによれば、散水板２０４の一端が固定されており散水板２０４と回転係合しながら第一回転軸部２４２の周りに散水板２０４を巻き取り又は巻き戻しできる第一回転軸部２４２と、第一回転軸部２４２と軸線が平行に配置されており、散水板２０４の他端が固定されており散水板２０４と回転係合しながら第二回転軸部２４４の周りに散水板２０４を巻き取り又は巻き戻しできる第二回転軸部２４４とが、散水板２０４をシャワーヘッド本体２０２に対してスライド移動できる。従って、散水板２０４は、散水板２０４の固定された一端から固定された他端までが、巻き取り又は巻き戻りによってスライド移動される。従って、散水板２０４を弾性変形させながらシャワーヘッド本体２０２に対してスライド移動させ、本体開口部２０９と整合して吐水形態を切り替えられる散水孔２２２から湯水を吐出させることにより、使用者は吐水形態を切り替えることができる。
従って、使用者は、散水板スライド機構２０６を移動させて吐水形態を切り替えることができ、使用者の体調等により微妙に変化する最適な浴び心地にあわせた吐水形態を切り替えることができる。
また、散水板２０４は、散水板２０４が弾性変形して、本体開口部２０９及びカバー開口部２０８で弾性変形された吐水面を形成するので、散水板２０４からの吐水がまっすぐになりすぎず且つ広がりすぎることのない適度な吐水範囲を有するシャワーヘッド２０１を形成することができる。
【符号の説明】
【００４９】
１            シャワーヘッド
２            シャワーヘッド本体
４            散水板
６            散水板スライド機構
７            シャワーヘッド本体カバー
８            カバー開口部
９            本体開口部
１０          つまみ部
１６          通水路
１７          散水板係合部
１８          開口部カバー
２０          後部カバー
２２          散水孔
２４          パッキン
２６          散水板押圧部
２８          押圧部キャップ
３０          押圧ボール部
３２          押圧ボール支持部
３６          クリック凹部
１０１        シャワーヘッド
１０２        シャワーヘッド本体
１０４        散水板
１０６        散水板スライド機構
１０７        シャワーヘッド本体カバー
１０８        カバー開口部
１０９        本体開口部
１１０        つまみ部
１１１        つまみ回転軸部
１０７        シャワーヘッド本体カバー
１１８        開口部カバー
１２０        後部カバー
１２４        パッキン
１２６        散水板押圧部
１３６        クリック凹部
１３８        孔
１４２        第一回転軸部
１４４        第二回転軸部
１４６        第一上部ギア
１４７        第一シャフト
１４８        第一下部ギア
１５０        第二上部ギア
１５１        第二シャフト
１５２        第二下部ギア
２０１        シャワーヘッド
２０２        シャワーヘッド本体
２０４        散水板
２０６        散水板スライド機構
２０８        開口部
２１０        つまみ部
２１１        つまみ回転軸部
２２６        散水板押圧部
２３８        孔
２４２        第一回転軸部
２４４        第二回転軸部
２４６        第一上部ギア
２４７        第一シャフト
２４８        第一下部ギア
２５０        第二上部ギア
２５１        第二シャフト
２５２        第二下部ギア
【図１】
2012010882.tif 000003
【図２】
2012010882.tif 000004
【図３】
2012010882.tif 000005
【図４】
2012010882.tif 000006
【図５】
2012010882.tif 000007
【図６】
2012010882.tif 000008
【図７】
2012010882.tif 000009
【図８】
2012010882.tif 000010